【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
画像データを記憶し、前記画像データに基づいて画像を記録可能な記録装置に接続可能に構成され、
各種情報を表示可能な表示部と、
前記記録装置に、解凍可能な圧縮方法を指定して、記憶された前記画像データの送信を要求し、当該要求に応じて送信される圧縮された前記画像データを受信すると、当該画像データを解凍して、前記表示部に、解凍後の前記画像データに基づく画像を表示する画像表示制御部と、を備えることを特徴とする制御装置。
【請求項２】
前記画像表示制御部は、
前記記録装置に、非可逆の高圧縮の圧縮方法を指定して、前記画像データの送信を要求し、当該要求に応じて送信される圧縮された前記画像データを受信すると、当該画像データを当該圧縮方法に対応する解凍方法により解凍して、前記表示部に、解凍後の前記画像データに基づく画像を表示し、
前記表示部に表示した画像について、当該画像の前記画像データの取得を指示された場合、前記記録装置に、可逆の低圧縮の圧縮方法を指定して、前記画像データの送信を要求し、当該要求に応じて、圧縮された前記画像データを受信すると、当該画像データを当該圧縮方法に対応する解凍方法により解凍して記憶することを特徴とする請求項１に記載の制御装置。
【請求項３】
画像データを記憶し、前記画像データに基づいて画像を記録可能な記録装置と、前記記録装置に接続され、表示部を備える制御装置と、を備える制御システムであって、
前記制御装置は、
前記記録装置に、解凍可能な圧縮方法を指定して、記憶された前記画像データの送信を要求し、
前記記録装置は、
当該要求に応じて、前記制御装置が解凍可能な圧縮方法のうち自身が対応する圧縮方法により前記画像データを圧縮し、圧縮した前記画像データを、前記制御装置に送信し、
前記制御装置は、
圧縮された前記画像データを受信すると、当該データを解凍して、前記表示部に、解凍後の前記画像データに基づく画像を表示することを特徴とする制御システム。
【請求項４】
前記記録装置は、
圧縮した前記画像データを送信する際、
対応可能な圧縮方法が複数ある場合は、それぞれの圧縮方法で前記画像データを圧縮し、圧縮した前記画像データのサイズを比較し、最もサイズの小さい圧縮した前記画像データを前記制御装置に送信することを特徴とする請求項３に記載の制御システム。
【請求項５】
画像データを記憶し、前記画像データに基づいて画像を記録可能な記録装置に接続可能に構成され、各種情報を表示可能な表示部を備える制御装置の制御方法であって、
前記記録装置に、解凍可能な圧縮方法を指定して、記憶された前記画像データの送信を要求し、当該要求に応じて送信される圧縮された前記画像データを受信すると、当該画像データを解凍して、前記表示部に、解凍後の前記画像データに基づく画像を表示することを特徴とする制御装置の制御方法。
【請求項６】
画像データを記憶し、前記画像データに基づいて画像を記録可能な記録装置に接続可能に構成され、各種情報を表示可能な表示部を備える制御装置を制御する制御部により実行されるプログラムであって、
前記制御部を、
前記記録装置に、解凍可能な圧縮方法を指定して、記憶された前記画像データの送信を要求し、当該要求に応じて送信される圧縮された前記画像データを受信すると、当該データを解凍して、前記表示部に、解凍後の前記画像データに基づく画像を表示する画像表示制御部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、制御装置であって、画像データを記憶し、前記画像データに基づいて画像を記録可能な記録装置に接続可能に構成され、各種情報を表示可能な表示部と、前記記録装置に、解凍可能な圧縮方法を指定して、記憶された前記画像データの送信を要求し、当該要求に応じて送信される圧縮された前記画像データを受信すると、当該画像データを解凍して、前記表示部に、解凍後の前記画像データに基づく画像を表示する画像表示制御部と、を備えることを特徴とする。
この構成によれば、制御装置は、記録装置に対して画像データの送信を要求し、受信した画像データに基づいて自身が備える表示部に画像を表示するため、記録装置が記憶している画像データが示す画像の内容を把握するために記録装置によって記録媒体に画像データに基づく画像を記録させる必要が無く、記録媒体の浪費を抑制しつつ画像データに基づく画像を視認できるようにすることが可能である。特に、上記構成によれば、制御装置は、画像データの送信を要求する際、自身が解凍可能な圧縮方法を指定し、記録装置から自身が解凍可能な圧縮方法で圧縮された画像データを受信する。ここで、画像データは比較的サイズの大きなデータであるが、画像データが圧縮された上で記録装置から制御装置に送信されるため、これら装置間で送受信されるデータ量を効果的に抑制できると共に、制御装置から記録装置に対して解凍可能な圧縮方法が事前に指定されるため、制御装置は、受信したデータについて、確実に解凍可能である。
【手続補正３】
【補正対象書類名】明細書
【補正対象項目名】０００６
【補正方法】変更
【補正の内容】
【０００６】
また、本発明は、前記画像表示制御部は、前記記録装置に、非可逆の高圧縮の圧縮方法を指定して、前記画像データの送信を要求し、当該要求に応じて送信される圧縮された前記画像データを受信すると、当該画像データを当該圧縮方法に対応する解凍方法により解凍して、前記表示部に、解凍後の前記画像データに基づく画像を表示し、前記表示部に表示した画像について、当該画像の前記画像データの取得を指示された場合、前記記録装置に、可逆の低圧縮の圧縮方法を指定して、前記画像データの送信を要求し、当該要求に応じて、圧縮された前記画像データを受信すると、当該画像データを当該圧縮方法に対応する解凍方法により解凍して記憶することを特徴とする。
ここで、制御装置が、記録装置に記憶されている画像データが示す画像を表示部に表示する場合、表示部に表示される画像は、ユーザーによって視認されることを目的としたものであるため、視認性に多大な悪影響を及ぼさない範囲で多少の劣化が許容される。すなわち、表示される画像の元となる画像データは、記録装置に記憶された画像データと完全同一である必要はなく、多少の劣化が許容される。一方で、制御装置が、記録装置から画像データを取得するときは、取得した画像データを利用して、他の記録装置に当該画像データを登録したり、また、当該画像データを編集したりすることが想定されるため、取得する画像データは、記録装置に記憶された画像データと完全に同一である必要がある。
以上を踏まえ、上記構成によれば、記録装置から制御装置に送信される画像データについて、多少の劣化が許容される状況下では非可逆圧縮により高い圧縮率で圧縮され、一方、劣化が許容されない状況下では可逆圧縮により低い圧縮率で圧縮されるため、記録装置から制御装置に送信される画像データがどう利用されるかに応じて、適切、かつ、効果的に、送受信するデータのデータ量を抑制することができる。
【手続補正４】
【補正対象書類名】明細書
【補正対象項目名】０００７
【補正方法】変更
【補正の内容】
【０００７】
また、上記目的を達成するために、本発明は、画像データを記憶し、前記画像データに基づいて画像を記録可能な記録装置と、前記記録装置に接続され、表示部を備える制御装置と、を備える制御システムであって、前記制御装置は、前記記録装置に、解凍可能な圧縮方法を指定して、記憶された前記画像データの送信を要求し、前記記録装置は、当該要求に応じて、前記制御装置が解凍可能な圧縮方法のうち自身が対応する圧縮方法により前記画像データを圧縮し、圧縮した前記画像データを、前記制御装置に送信し、前記制御装置は、圧縮された前記画像データを受信すると、当該データを解凍して、前記表示部に、解凍後の前記画像データに基づく画像を表示することを特徴とする。
この構成によれば、制御装置は、記録装置に対して画像データの送信を要求し、受信した画像データに基づいて自身が備える表示部に画像を表示するため、記録装置が記憶している画像データが示す画像の内容を把握するために記録装置によって記録媒体に画像データに基づく画像を記録させる必要が無く、記録媒体の浪費を抑制しつつ画像データに基づく画像を視認できるようにすることが可能である。特に、上記構成によれば、制御装置は、画像データの送信を要求する際、自身が解凍可能な圧縮方法を指定し、記録装置から自身が解凍可能な圧縮方法で圧縮された画像データを受信する。ここで、画像データは比較的サイズの大きなデータであるが、画像データが圧縮された上で記録装置から制御装置に送信されるため、これら装置間で送受信されるデータ量を効果的に抑制できると共に、制御装置から記録装置に対して解凍可能な制御圧縮が事前に指定されるため、制御装置は、受信したデータについて、確実に解凍可能である。
【手続補正５】
【補正対象書類名】明細書
【補正対象項目名】０００８
【補正方法】変更
【補正の内容】
【０００８】
また、本発明は、前記記録装置は、圧縮した前記画像データを送信する際、対応可能な圧縮方法が複数ある場合は、それぞれの圧縮方法で前記画像データを圧縮し、圧縮した前記画像データのサイズを比較し、最もサイズの小さい圧縮した前記画像データを前記制御装置に送信することを特徴とする。
ここで、異なる複数の圧縮方法で画像データを圧縮した場合に、どの圧縮方法でデータ圧縮したときが最も画像データのサイズが小さくなるかは、画像データの態様によって異なる。そして、上記構成によれば、記録装置は、自身が対応している圧縮方法が複数ある場合は、各圧縮方法で実際に画像データを圧縮し、最もサイズが小さな圧縮した画像データを制御装置に送信する。これにより、記録装置から制御装置に送信される画像データのサイズを可能な限り小さくすることができ、より効果的にこれら装置間で送受信されるデータのデータ量を抑制できる。
【手続補正６】
【補正対象書類名】明細書
【補正対象項目名】０００９
【補正方法】変更
【補正の内容】
【０００９】
また、上記目的を達成するために、本発明は、画像データを記憶し、前記画像データに基づいて画像を記録可能な記録装置に接続可能に構成され、各種情報を表示可能な表示部を備える制御装置の制御方法であって、前記記録装置に、解凍可能な圧縮方法を指定して、記憶された前記画像データの送信を要求し、当該要求に応じて送信される圧縮された前記画像データを受信すると、当該画像データを解凍して、前記表示部に、解凍後の前記画像データに基づく画像を表示することを特徴とする。
この制御方法によれば、制御装置は、記録装置に対して画像データの送信を要求し、受信した画像データに基づいて自身が備える表示部に画像を表示するため、記録装置が記憶している画像データが示す画像の内容を把握するために記録装置によって記録媒体に画像データに基づく画像を記録させる必要が無く、記録媒体の浪費を抑制しつつ画像データに基づく画像を視認できるようにすることが可能である。特に、上記構成によれば、制御装置は、画像データの送信を要求する際、自身が解凍可能な圧縮方法を指定し、記録装置から自身が解凍可能な圧縮方法で圧縮された画像データを受信する。ここで、画像データは比較的サイズの大きなデータであるが、画像データが圧縮された上で記録装置から制御装置に送信されるため、これら装置間で送受信されるデータ量を効果的に抑制できると共に、制御装置から記録装置に対して解凍可能な圧縮方法が事前に指定されるため、制御装置は、受信したデータについて、確実に解凍可能である。
【手続補正７】
【補正対象書類名】明細書
【補正対象項目名】００１０
【補正方法】変更
【補正の内容】
【００１０】
また、上記目的を達成するために、本発明は、画像データを記憶し、前記画像データに基づいて画像を記録可能な記録装置に接続可能に構成され、各種情報を表示可能な表示部を備える制御装置を制御する制御部により実行されるプログラムであって、前記制御部を、前記記録装置に、解凍可能な圧縮方法を指定して、記憶された前記画像データの送信を要求し、当該要求に応じて送信される圧縮された前記画像データを受信すると、当該データを解凍して、前記表示部に、解凍後の前記画像データに基づく画像を表示する画像表示制御部として機能させることを特徴とする。
このプログラムによれば、制御装置は、記録装置に対して画像データの送信を要求し、受信した画像データに基づいて自身が備える表示部に画像を表示するため、記録装置が記憶している画像データが示す画像の内容を把握するために記録装置によって記録媒体に画像データに基づく画像を記録させる必要が無く、記録媒体の浪費を抑制しつつ画像データに基づく画像を視認できるようにすることが可能である。特に、上記構成によれば、制御装置は、画像データの送信を要求する際、自身が解凍可能な圧縮方法を指定し、記録装置から自身が解凍可能な圧縮方法で圧縮された画像データを受信する。ここで、画像データは比較的サイズの大きなデータであるが、画像データが圧縮された上で記録装置から制御装置に送信されるため、これら装置間で送受信されるデータ量を効果的に抑制できると共に、制御装置から記録装置に対して解凍可能な圧縮方法が事前に指定されるため、制御装置は、受信したデータについて、確実に解凍可能である。